(57)【要約】      （修正有）【課題】仮想通貨と法定通貨のサービス統合プラットフォームを提供する。【解決手段】仮想通貨と法定通貨のサービス統合プラットフォームは、ユーザ側装置１００から出された取引リクエスト１０１を受信し、ユーザ側装置と取引希望側との間の取引サービスを完成させる。該プラットフォームは、身元認証モジュールと取引リクエスト受信モジュールとウォレット管理モジュールと取引モジュールと分散型台帳モジュールとを含む。身元認証モジュールは、ユーザ側装置のユーザの身元を認証する。取引リクエスト受信モジュールは、取引リクエストを受信する。ウォレット管理モジュールは、法定通貨ウォレットと暗号通貨ウォレットとを含む。取引モジュールは、ウォレット管理モジュール及び取引希望側に接続され、法定通貨ウォレット又は暗号通貨ウォレットを使用して取引サービスを行なう。分散型台帳モジュールは、暗号通貨ウォレットを使用した取引記録を記録する。【選択図】図１
2019212256.tif 000002
【特許請求の範囲】
【請求項１】
ユーザ側装置から出された取引リクエストを受信し、また取引リクエストによってユーザ側装置と取引希望側との間の取引サービスを完成させるための仮想通貨と法定通貨のサービス統合プラットフォームであって、前記金融サービス統合システムは、
ユーザ側装置のユーザの身元を認証するための身元認証モジュールと、
取引リクエストを受信するための取引リクエスト受信モジュールと、
信号によって前記取引リクエスト受信モジュールに接続され、法定通貨ウォレットと暗号通貨ウォレットとを含むウォレット管理モジュールと、
信号によって前記ウォレット管理モジュール及び前記取引希望側に接続され、前記取引リクエストに基づいて前記法定通貨ウォレット又は前記暗号通貨ウォレットを使用して前記取引希望側と前記取引サービスを行なうと共に前記取引サービスに対応する取引記録を生成するための取引モジュールと、
信号によって前記取引モジュールに接続され、暗号通貨ウォレットを使用して取引サービスを行う各取引記録を記録するための分散型台帳モジュールと、
を含むことを特徴とする、仮想通貨と法定通貨のサービス統合プラットフォーム。
【請求項２】
前記暗号通貨ウォレットは、ブロックチェーンウォレットのデータ交換インターフェースを含み、前記取引モジュールが前記ブロックチェーンウォレットのデータ交換インターフェースを通じて第三者機関のブロックチェーンネットワークと信号接続することで、前記第三者機関のブロックチェーンネットワーク内の前記暗号通貨ウォレット保有者の暗号通貨口座情報を取得することを特徴とする、請求項１に記載の仮想通貨と法定通貨のサービス統合プラットフォーム。
【請求項３】
前記暗号通貨ウォレットは、交換率計算モジュールを含み、前記交換率計算モジュールが暗号通貨を法定通貨に両替する暗号通貨両替レート又は法定通貨を暗号通貨に両替する法定通貨両替レートを計算するために用いられることを特徴とする、請求項１に記載の仮想通貨と法定通貨のサービス統合プラットフォーム。
【請求項４】
前記暗号通貨ウォレットは、交換記録モジュールを含み、前記交換記録モジュールが前記暗号通貨を前記法定通貨に両替する暗号通貨交換記録を記録し、かつ前記交換記録モジュールも前記法定通貨を前記暗号通貨に両替する法定通貨交換記録を記録でき、また前記分散型台帳モジュールは前記暗号通貨交換記録及び前記法定通貨交換記録を記録することを特徴とする、請求項１に記載の仮想通貨と法定通貨のサービス統合プラットフォーム。
【請求項５】
前記取引リクエストは、ポイント交換リクエストを含み、前記ウォレット管理モジュールがポイント管理モジュールを含み、前記ポイント管理モジュールがポイント発行企業から提供され前記ユーザに属するポイントメッセージを受信することで、前記取引モジュールと前記取引希望側がポイント交換取引を行なうと共にポイント交換取引記録を形成するために供することを特徴とする、請求項１に記載の仮想通貨と法定通貨のサービス統合プラットフォーム。
【請求項６】
前記ポイント交換取引は、前記ポイント情報を電子クーポンに引き換え及び／或いは前記該ポイント情報で前記取引希望側と前記取引サービスを行なうことを特徴とする、請求項５に記載の仮想通貨と法定通貨のサービス統合プラットフォーム。
【請求項７】
前記ポイント情報は、クレジットカードポイント情報、ゲームポイント情報、ソーシャルポイント情報、ショッピングポイント情報、会員カードポイント、マイレージポイント情報又は福利厚生ポイント情報が挙げられることを特徴とする、請求項６に記載の仮想通貨と法定通貨のサービス統合プラットフォーム。
【請求項８】
前記分散型台帳モジュールは、前記ポイント交換取引記録を記録することを特徴とする、請求項７に記載の仮想通貨と法定通貨のサービス統合プラットフォーム。
【請求項９】
前記法定通貨ウォレットは、法定通貨の価値貯蔵額を含み、かつ前記取引モジュールが前記法定通貨の価値貯蔵額を使用して前記取引希望側と前記取引サービスを行なうことを特徴とする、請求項１に記載の仮想通貨と法定通貨のサービス統合プラットフォーム。
【請求項１０】
前記法定通貨ウォレットは、法定通貨取引記録モジュールを含み、前記法定通貨取引記録モジュールが前記法定通貨の価値貯蔵額を使用して前記取引サービスを行なった前記取引記録を記録することを特徴とする、請求項９に記載の仮想通貨と法定通貨のサービス統合プラットフォーム。
【発明の詳細な説明】
【技術分野】
【０００１】
本発明は、仮想通貨と法定通貨のサービス統合プラットフォームに関し、特に、法定通貨取引と暗号通貨の取引を統合する仮想通貨と法定通貨のサービス統合プラットフォームに関する。
【背景技術】
【０００２】
近年、科学技術の発展や進歩につれ、金融サービスの提供方式及び取引方式も便利かつ迅速速化に向けて発展し、しかしながら従来の金融サービスシステムにおいて同時に法定通貨と暗号通貨を一緒に統合する金融サービスシステムが現れず、暗号通貨が受け入られている程度は益々高くなることに伴い、よって、使用利便性を向上して従来技術に存在している課題を解決するため、法定通貨と暗号通貨を統合するサービスシステムを提供する必要がある。
【発明の概要】
【発明が解決しようとする課題】
【０００３】
本発明の主な目的は、法定通貨取引と暗号通貨取引を統合する仮想通貨と法定通貨のサービス統合プラットフォームを提供することである。
【０００４】
本発明の別の主な目的は、ポイント交換取引を一緒に統合した仮想通貨と法定通貨のサービス統合プラットフォームを更に提供することである。
【課題を解決するための手段】
【０００５】
上記目的を達成するため、本発明に係る仮想通貨と法定通貨のサービス統合プラットフォームは、ユーザ側装置から出された取引リクエストを受信し、また取引リクエストによってユーザ側装置と取引希望側との間の取引サービスを完成させる。金融サービス統合システムは、身元認証モジュールと取引リクエスト受信モジュールとウォレット管理モジュールと取引モジュールと分散型台帳モジュールと、を含む。身元認証モジュールは、ユーザ側装置のユーザの身元を認証するために用いられる。取引リクエスト受信モジュールは、取引リクエストを受信するために用いられる。ウォレット管理モジュールは、法定通貨ウォレットと暗号通貨ウォレットとを含む。取引モジュールは、信号によってウォレット管理モジュール及び取引希望側に接続され、取引リクエストに基づいて法定通貨ウォレット又は暗号通貨ウォレットを使用して取引希望側と取引サービスを行なうと共に取引サービスに対応する取引記録を生成するために用いられる。分散型台帳モジュールは、信号によって取引モジュールに接続され、暗号通貨ウォレットを使用して取引サービスを行なう各取引記録を記録するために用いられる。
【発明の効果】
【０００６】
本発明に係る仮想通貨と法定通貨のサービス統合プラットフォームを介して、ユーザは法定通貨又は暗号通貨を自由に選択して取引希望側と取引を行なうことができ、かつ本発明の一具体的実施例によれば、本発明に係る仮想通貨と法定通貨のサービス統合プラットフォームは更に同一のユーザに属するポイントメッセージを統合することで、該ユーザにポイントメッセージを使用して取引希望側とポイント交換取引を行わせることができ、これを介してユーザに便利かつ完全な金融取引サービスを提供する。
【図面の簡単な説明】
【０００７】
【図１】本発明に係る仮想通貨と法定通貨のサービス統合プラットフォームのハードウェア構成及び使用環境を示す模式図である。
【図２】本発明に係る仮想通貨と法定通貨のサービス統合プラットフォームのハードウェアブロック図の第１の図である。
【図３】サービスクリックインターフェースの一実施例を示す模式図である。
【図４】本発明に係る仮想通貨と法定通貨のサービス統合プラットフォームのハードウェアブロック図の第２の図である。
【発明を実施するための形態】
【０００８】
以下、審査官に本発明の技術内容をより理解させるため、好ましい実施例を挙げて説明する。図１乃至図４を参照すると、本発明に係る仮想通貨と法定通貨のサービス統合プラットフォームのハードウェア構成及び使用環境を示す模式図、サービスクリックインターフェースの一実施例を示す模式図及びハードウェアブロック図である。
【０００９】
図１に示すように、本発明に係る仮想通貨と法定通貨のサービス統合プラットフォーム１受信は、ユーザ側装置１００から出された取引リクエスト１０１を受信し、取引リクエスト１０１によりユーザ側装置１００と取引希望側２００との間の取引サービスを完成させる。本発明の一具体的実施例によれば、異なる取引リクエストに基づき、本発明に係る仮想通貨と法定通貨のサービス統合プラットフォーム１と取引希望側２００と第三者機関のブロックチェーンネットワーク３００とポイント発行企業４００、及び／或いは金融サーバーとは、インターネットを通じて信号接続することで、対応の取引サービスを完成させる。
【００１０】
本発明の一具体的実施例によれば、ユーザ側装置１００は、パソコン、ノートパソコン、モバイルデバイス（例：携帯電話又はタブレットパソコン）の電子機器とすることができる。取引希望側２００は、個人、実店舗、ネットショップ、コンビニエンスストア等とすることができる。本発明において取引サービスとは、法定通貨取引サービス、暗号通貨取引サービス、ポイント交換取引サービス等のサービスが挙げられるが、本発明はこれに限られるものではない。金融サーバーは、某銀行管理サーバーとすることができ、ポイント発行企業４００が某銀行顧客管理センター、某ショッピングモール会員センター、某オンラインゲームポイント管理センター等とすることができる。
【００１１】
図１に示すように、本実施例において、本発明に係る仮想通貨と法定通貨のサービス統合プラットフォーム１は、身元認証モジュール１０と取引リクエスト受信モジュール２０とウォレット管理モジュール３０と取引モジュール４０と分散型台帳モジュール５０と、を含む。身元認証モジュール１０は、ユーザ側装置１００の一ユーザ１２０の身元を認証するために用いられる。本発明の一具体的実施例によれば、身元認証モジュール１０は、ユーザ側装置１００に内蔵されている生体認証装置、例えば指紋認証装置、声紋認証装置又は顔認証装置とすることができ、又は身元認証モジュール１０がユーザ１２０に対しあらかじめ設定されているパスワードの入力或いは特定質問への回答を求め、パスワード及び質問の答えを照合することによって該ユーザ１２０が適格なユーザであるかどうかを検証する。ユーザ１２０は、身元認証モジュール１０の認証に通すことができない場合、本発明に係る仮想通貨と法定通貨のサービス統合プラットフォーム１で提供するサービスを利用できない。
【００１２】
図１及び図２に示すように、取引リクエスト受信モジュール２０は、身元認証モジュール１０に電気的に接続され、身元認証モジュール１０でユーザ１２０の身元が適格なユーザであることを認証した場合、取引リクエスト受信モジュール２０はユーザ１２０がユーザ側装置１００を介して出した取引リクエスト１０１を受信できる。本発明の一具体的実施例によれば、図３に示すように、取引リクエスト受信モジュール２０は、ユーザ側装置１００の表示スクリーンにクリックインターフェース２０１を表示してユーザ１２０に使用したい取引リクエスト１０１、１０１ａ、１０１ｂを選択させることができる。
【００１３】
図１及び図２に示すように、ウォレット管理モジュール３０は、法定通貨ウォレット３１と暗号通貨ウォレット３２と、を含む。本実施例において、法定通貨ウォレット３１は、法定通貨の価値貯蔵額３１１と法定通貨取引記録モジュール３１２とを含み、取引モジュール４０は法定通貨の価値貯蔵額３１１を使用して取引希望側２００と取引サービスを行ない、例えばユーザ１２０があらかじめクレジットカードで一定金額の法定通貨の価値貯蔵額３１１を貯め、更に取引モジュール４０がそれら法定通貨の価値貯蔵額３１１を使用して取引を行なう。
【００１４】
暗号通貨ウォレット３２は、ブロックチェーンウォレットのデータ交換インターフェース３２１と交換率計算モジュール３２２と交換記録モジュール３２３とを含み、交換率計算モジュール３２２が暗号通貨を法定通貨に両替する暗号通貨両替レート又は法定通貨を暗号通貨に両替する法定通貨両替レートを計算するために用いられ、交換記録モジュール３２３が暗号通貨を法定通貨に両替する暗号通貨交換記録を記録し、かつ交換記録モジュール３２３も法定通貨を暗号通貨に両替する法定通貨交換記録を記録でき、また分散型台帳モジュール５０は暗号通貨交換記録及び法定通貨交換記録を記録する。ここで留意すべき点は、法定通貨は政府から発行される貨幣、例えば台湾ドル或いは米ドルを意味し、暗号通貨が仮想通貨、例えばビットコイン又はイーサリアムを意味している。
【００１５】
取引モジュール４０は、信号によってウォレット管理モジュール３０及び取引希望側２００に接続され、取引リクエスト１０１により法定通貨ウォレット３１又は暗号通貨ウォレット３２を使用して取引希望側２００と取引サービスを行なうと共に取引サービスに対応する取引記録４１を生成する。分散型台帳モジュール５０は、信号によって取引モジュール３０に接続され、暗号通貨ウォレット２２を使用して取引サービスを行った各取引記録４１ａを記録する。
【００１６】
ここで、先に例を挙げて仮想通貨と法定通貨のサービス統合プラットフォーム１における暗号通貨ウォレット３２の運用方式を説明する。図１乃至図３に示すように、仮にユーザ１２０が５ビットコインでオンライン書店（取引希望側２００）においてハリーポッター全巻セットを購入しようとする場合、この時ユーザ１２０は先に身元認証モジュール１０の指紋認証を通過し、そしてクリックインターフェース２０１において暗号通貨取引（取引リクエスト１０１ａ）を選択し、取引リクエスト受信モジュール２０で暗号通貨取引（取引リクエスト１０１ａ）を受信する。
【００１７】
この時、取引モジュール４０は、暗号通貨取引（取引リクエスト１０１ａ）に基づいて暗号通貨ウォレット３２とオンライン書店（取引希望側２００）間との取引をイネーブルし、また今回の取引サービスに対応する取引記録４１ａを分散型台帳モジュール５０内に保存することで、取引台帳ブロックが形成される。本実施例において、取引記録４１ａは、ユーザ１２０が今回の取引を行なう前の暗号通貨ウォレット３２における暗号通貨の数、今回の取引金額（５ビットコイン）、今回取引後の暗号通貨ウォレット３２における暗号通貨の残高、オンライン書店（取引希望側２００）のアドレスメッセージ、取引日付等の情報を包括できる。
【００１８】
本発明の一具体的実施例によれば、本実施例において、ブロックチェーンウォレットのデータ交換インターフェース３２１は、アプリケーションプログラムインターフェース（ＡＰＩ）であり、取引モジュール４０が更にブロックチェーンウォレットのデータ交換インターフェース３２１を通じて第三者機関のブロックチェーンネットワーク３００と信号接続することで、第三者機関のブロックチェーンネットワーク３００内の暗号通貨ウォレット３２保有者（ユーザ１２０）の暗号通貨口座情報を取得し、また取引台帳ブロックを第三者機関のブロックチェーンネットワーク３００に伝送できる。又は分散型台帳モジュール５０は該ユーザ１２０が仮想通貨と法定通貨のサービス統合プラットフォーム１の暗号通貨ウォレット３２を利用して行なった全ての取引を維持すると共に管理するため、取引モジュール４０も前記暗号通貨口座情報を前記取引台帳ブロック内に一緒に保存する。
【００１９】
ここで例を挙げて仮想通貨と法定通貨のサービス統合プラットフォーム１における法定通貨ウォレット３１の運用方式を説明する。図１乃至図３に示すように、本発明の一具体的実施例によれば、ユーザ１２０はあらかじめクレジットカードにより５０００台湾ドル相当の１０００ポイントの法定通貨の価値貯蔵額３１１を貯め、オンライン書店（取引希望側２００）においてハリーポッター全巻セットを購入しようとする時、この全巻セットの価値が５００ポインである。この時、ユーザ１２０は、先に身元認証モジュール１０の指紋認證を通過し、そしてクリックインターフェース２０１において法定通貨取引（取引リクエスト１０１）を選択し、取引リクエスト受信モジュール２０で法定通貨取引（取引リクエスト１０１）を受信する。
【００２０】
この時、取引モジュール４０は、法定通貨取引（取引リクエスト１０１）に基づいて法定通貨ウォレット３１をイネーブルすると共に法定通貨の価値貯蔵額３１１を使用してオンライン書店（取引希望側２００）と取引を行ない、今回のサービスに対応する取引記録４１を法定通貨取引記録モジュール３１２に保存する。本実施例において、取引記録４１は、ユーザ１２０が今回の取引を行なう前の法定通貨ウォレット３１における法定通貨の価値貯蔵額３１１、今回取引後の法定通貨の価値貯蔵額３１１の残高、オンライン書店（取引希望側２００）の名称、今回の取引金額（５００ポイント）、取引日付等の情報を包括できる。
【００２１】
図１、図３及び図４に示すように、本発明に係る仮想通貨と法定通貨のサービス統合プラットフォーム１の取引リクエスト１０１は、ポイント交換リクエスト１０１ｂを更に含み、ウォレット管理モジュール３０がポイント管理モジュール３３を更に含み、ポイント管理モジュール３３がポイント発行企業４００から提供されユーザ１２０に属するポイントメッセージ４０１を受信することで、取引モジュール４０と取引希望側２００がポイント交換取引を行なうと共にポイント交換取引記録を形成するために供する。ポイント情報４０１は、クレジットカードポイント情報、ゲームポイント情報、ソーシャルポイント情報、ショッピングポイント情報、会員カードポイント、マイレージポイント情報又は福利厚生ポイント情報が挙げられる。
【００２２】
ここで例を挙げて仮想通貨と法定通貨のサービス統合プラットフォーム１におけるポイント管理モジュール３３の運用方式を説明する。図１、図３及び図４に示すように、仮にユーザ１２０が某銀行から発行されたクレジットカードボースポイント１００００ポイントで某百貨店の商品券１枚に交換しようとする場合、この時ユーザ１２０は先に身元認証モジュール１０の指紋認証を通過し、そしてクリックインターフェース２０１においてポイント交換取引（取引リクエスト１０１ｂ）を選択し、取引リクエスト受信モジュール２０でポイント交換取引（取引リクエスト１０１ｂ）を受信する。この時、取引モジュール４０は、ポイント交換取引（取引リクエスト１０１ｂ）に基づいてポイント管理モジュール３３をイネーブルし、某銀行顧客管理センター（ポイント発行企業４００）から提供されたユーザ１２０に属するボーナスポイントメッセージ（ポイント情報４０１で、例：ユーザ１２０が計１００，０００ポインのクレジットカードボーナスポイントを有する）から１００００ポイントを差し引くことで、電子クーポンセンターにおいて某百貨店の商品券１枚に交換するサービスを完成させ、また今回サービスに対応する取引記録４１ｂを分散型台帳モジュール５０内に保存して取引台帳ブロックが形成される。本実施例において、取引記録４１ｂは、ユーザ１２０が今回ポイント交換取引を行なう前の特定ポイント情報４０１（某銀行から発行されたクレジットカードボーナスポイント数）、今回ポイント交換数（某銀行から発行されたクレジットカードボーナスポイント１００００ポイント）、取引日付等の情報を包括する。
【００２３】
留意すべき点は、上記各モジュールがハードウェア装置、ソフトウェアプログラム、ファームウェアまたはそれらの組合せとして配置できる以外に、回路ループ或いはその他の適切なタイプを通じて配置されることができ、かつ各モジュールは単独タイプで配置されることができる以外に、結合タイプで配置されることもできる。好ましい実施例では、各モジュールは均しくメモリに保存されているソフトウェアプログラムであり、仮想通貨と法定通貨のサービス統合プラットフォーム１におけるプロセッサ（図示せず）を介して各モジュールを実行することで、本発明の機能を実現する。また、本実施形態は本発明の好ましい実施例を例示するだけであり、ここでは長々と述べることを避けるため、全ての可能性のある変化組合せを詳細に記載していない。しかしながら、上記各モジュールまたは素子が必ずしも必要ではないと本分野における通常の知識を有する者が理解する。かつ本発明を実施するため、その他の詳細な従来モジュール又は素子を含む場合もある。各モジュール又は素子は、いずれもニーズを見て省略或いは修正でき、かつ両モジュール間において必ずしもその他のモジュール又は素子が任意に存在しないことではない。
【産業上の利用可能性】
【００２４】
本発明に係る仮想通貨と法定通貨のサービス統合プラットフォーム１を介して、ユーザ１２０は法定通貨ウォレット３１又は暗号通貨ウォレット３２を自由に選択して取引希望側２００と取引を行なうことができ、かつ本発明の一具体的実施例によれば、本発明に係る仮想通貨と法定通貨のサービス統合プラットフォーム１は更に同一のユーザ１２０に属するポイントメッセージ４０１を統合することで、該ユーザ１２０にポイントメッセージを４０１使用して取引希望側２００とポイント交換取引を行わせることができ、これを介してユーザ１２０に便利かつ完全な金融取引サービスを提供する。
【００２５】
留意すべき点は、上記多くの実施例は、あくまでも本発明の技術内容を明らかにするものであり、本発明で主張する権利範囲が上記実施例のみに限定されることなく、特許請求の範囲に記載されているものに準じる。
【符号の説明】
【００２６】
１  仮想通貨と法定通貨のサービス統合プラットフォーム
１０  身元認証モジュール
１００  ユーザ側装置
１０１、１０１ａ、１０１ｂ  取引リクエスト
１２０  ユーザ
２０  取引リクエスト受信モジュール
２００  取引希望側
２０１  クリックインターフェース
３０  ウォレット管理モジュール
３００  第三者機関のブロックチェーンネットワーク
３１  法定通貨ウォレット
３１１  法定通貨の価値貯蔵額
３１２  法定通貨取引記録モジュール
３２  暗号通貨ウォレット３２
３２１  ブロックチェーンウォレットのデータ交換インターフェース
３２２  交換率計算モジュール
３２３  交換記録モジュール
３３  ポイント管理モジュール
４０  取引モジュール
４００  ポイント発行企業
４０１  ポイント情報
４１、４１ａ、４１ｂ  取引記録
５０  分散型台帳モジュール
【図１】
2019212256.tif 000003
【図２】
2019212256.tif 000004
【図３】
2019212256.tif 000005
【図４】
2019212256.tif 000006